(57)【要約】【課題】端子台本体とカバー体（又は台座）との間からはみ出す液体ガスケットと第１配線との接触を確実性をもって防止することが可能な端子台の提供にある。【解決手段】第１配線としての配線１３と第２配線とを電気的に接続する接続部を有し、配線１３が挿通される台座開口部１１Ｂを備えた台座としてのハウジング１１に固定される端子台であって、絶縁材料により形成され、ハウジング１１に固定される端子台本体１７と、絶縁材料により形成され、端子台本体１７を覆うカバー体１８とを備え、端子台本体１７は、台座開口部１１Ｂに連通し、配線１３を挿通する本体開口部２６と、液体ガスケットＧを介在させてハウジング１１およびカバー体１８と接合される本体側接合部３０および裏面側接合部４４とを有し、端子台本体１７に配線１３の挿通方向に立設された板状部２７を設ける。【選択図】  図５
2017021914.tif 000002
【特許請求の範囲】
【請求項１】
第１配線と第２配線とを電気的に接続する接続部を有し、前記第１配線が挿通される台座開口部を備えた台座に固定される端子台であって、
絶縁材料により形成され、前記台座に固定される端子台本体と、
絶縁材料により形成され、前記端子台本体を覆うカバー体と、を備え、
前記端子台本体は、前記台座開口部に連通し、前記第１配線を挿通する本体開口部と、
液体ガスケットを介在させて前記台座および前記カバー体と接合される接合部と、を有し、
前記端子台本体または前記カバー体に前記第１配線の挿通方向に立設する板状部を設けたことを特徴とする端子台。
【請求項２】
前記板状部は、前記端子台本体に一体形成されていることを特徴とする請求項１に記載の端子台。
【請求項３】
前記板状部は、前記カバー体に向けて延設された第１壁部および前記台座開口部に向けて延設された第２壁部を備えていることを特徴とする請求項２に記載の端子台。
【発明の詳細な説明】
【技術分野】
【０００１】
この発明は、端子台に係り、特に、第１配線と第２配線が電気的に接続される端子台の絶縁構造に関する。
【背景技術】
【０００２】
端子台の従来技術としては、例えば図１０に示すように、端子台本体８１と端子台本体８１を覆うカバー体８２とを備えた端子台８０が知られている。端子台８０は、図示しないボルトにより金属製の台座８３に固定されている。台座８３には、第１配線８４を挿通する開口８５が設けられている。端子台本体８１とカバー体８２は、端子台本体８１とカバー体８２との間にシール用の液体ガスケットＧを介在させて接合されている。端子台本体８１には、３本の第１配線８４を挿通する開口部８６が形成されている。端子台本体８１とカバー体８２とが接合されることにより形成される空間部Ｓには、第１配線８４が配置され、第１配線８４は開口部８６を通過したのち、接続部８７に向けて折り曲げられている。第１配線８４と第２配線８８は、空間部Ｓに設けた接続部８７を介して電気的に接続されている。
ところで、図１０に示すように、端子台本体８１とカバー体８２との間に介在される液体ガスケットＧの一部は、ボルトの締結により、端子台本体８１とカバー体８２との間から端子台８０の外方及び内方にはみ出す。開口部８６へはみ出した液体ガスケットＧは第１配線８４と接触する場合がある。図１０では、液体ガスケットＧの内方へのはみ出し部をＧｄで示している。第１配線８４、及び第１配線８４に取付けられた丸端子と液体ガスケットＧのはみ出し部Ｇｄとの接触は、第１配線８４と台座８３との間の絶縁低下を招く。
【０００３】
液体ガスケットのはみ出しを防止する従来技術としては、例えば、特許文献１に開示されたエンジンのオイルパン取付構造が知られている。特許文献１に開示されたエンジンのオイルパン取付構造では、クランクケースの下方部分に装着されたラダーフレームの下端当接面と、軽合金製鋳造オイルパンに形成された外周フランジの上端当接面との間に、液体ガスケットを介在させてボルトにより締付け固定されている。オイルパンにおけるフランジの上端当接面には、内側縁に沿い圧接によりはみ出した余剰の液体ガスケットを収容する段部が形成されている。
【０００４】
ラダーフレームにオイルパンを装着する場合、フランジの上端当接面上に液体ガスケットを塗布したのち、ラダーフレームの下端当接面に当接させて、多数のボルトによりオイルパンのフランジと対応するラダーフレームの下端フランジとが緊締される。ボルトにより緊締されることによって、ラダーフレームの下端当接面とオイルパンの上端当接面との間から、液体ガスケットの一部がオイルパンの外方及び内方にはみ出す。オイルパンの上端当接面からオイルパン内方にはみ出した余剰液体ガスケットは、段部上に保持されて固化するので、オイルパンの内部に落下しない。従って、固化した余剰液体ガスケットがオイルに混入することによる不具合を防止することが可能とある。
【先行技術文献】
【特許文献】
【０００５】
【特許文献１】実開平５−５００５３号公報
【発明の概要】
【発明が解決しようとする課題】
【０００６】
特許文献１に開示されたエンジンのオイルパン取付構造を、図１０に示す端子台に適用することが考えられるが、液体ガスケットの塗布量やボルトの締結力によっては、液体ガスケットのはみ出しが依然として生じる可能性がある。つまり、特許文献１に開示されたエンジンのオイルパン取付構造を、図１０に示す端子台に適用したとしても液体ガスケットのはみ出しを確実性をもって防止することはできないという問題がある。なお、確実性をもって防止するとは、かなりの高い確度で防止することを指す。
【０００７】
本発明は上記の問題点に鑑みてなされたもので、本発明の目的は、端子台本体とカバー体（又は台座）との間からはみ出す液体ガスケットと第１配線との接触を確実性をもって防止することが可能な端子台の提供にある。
【課題を解決するための手段】
【０００８】
上記の課題を解決するために、請求項１記載の発明は、第１配線と第２配線とを電気的に接続する接続部を有し、前記第１配線が挿通される台座開口部を備えた台座に固定される端子台であって、絶縁材料により形成され、前記台座に固定される端子台本体と、絶縁材料により形成され、前記端子台本体を覆うカバー体と、を備え、前記端子台本体は、前記台座開口部に連通し、前記第１配線を挿通する本体開口部と、液体ガスケットを介在させて前記台座および前記カバー体と接合される接合部と、を有し、前記端子台本体または前記カバー体に前記第１配線の挿通方向に立設する板状部を設けたことを特徴とする。
【０００９】
請求項１記載の発明によれば、端子台本体またはカバー体に第１配線の挿通方向に立設する板状部が設けられているので、端子台の固定時に、液体ガスケットの一部が本体開口部にはみ出すことが防止される。よって、端子台本体とカバー体、又は端子台本体と台座との間からはみ出す液体ガスケットと第１配線との接触を確実性をもって防止することが可能であり、台座と第１配線との間の絶縁低下を防止できる。
【００１０】
請求項２記載の発明は、請求項１に記載の端子台において、前記板状部は、前記端子台本体に一体形成されていることを特徴とする。
【００１１】
請求項２記載の発明によれば、端子台本体に板状部が一体形成されているので、板状部を用いて台座に対する端子台本体の位置決め、或いは、端子台本体に対するカバー体の位置決めを行うことが可能である。
【００１２】
請求項３記載の発明は、請求項２に記載の端子台において、前記板状部は、前記カバー体に向けて延設された第１壁部および前記台座開口部に向けて延設された第２壁部を備えていることを特徴とする。
【００１３】
請求項３記載の発明によれば、板状部は、第１壁部および第２壁部を備えているので、ボルト締結による端子台の固定時に、第１壁部によって端子台本体とカバー体との間から液体ガスケットの本体開口部へのはみ出しを防止できると共に、第２壁部によって端子台本体と台座との間から液体ガスケットの本体開口部へのはみ出しを防止できる。
【発明の効果】
【００１４】
本発明によれば、端子台本体とカバー体（又は台座）との間からはみ出す液体ガスケットと第１配線との接触を確実性をもって防止することが可能である。
【図面の簡単な説明】
【００１５】
【図１】第１の実施形態に係る端子台の概要構成を示す斜視図である。
【図２】（ａ）は第１の実施形態に係る端子台の分解斜視図であり、（ｂ）は（ａ）におけるハウジングの斜視図である。
【図３】（ａ）は第１の実施形態に係る端子台における端子台本体の平面図であり、（ｂ）は（ａ）におけるＣ−Ｃ線矢視図である。
【図４】（ａ）は第１の実施形態に係る端子台におけるカバー体の底面図であり、（ｂ）は（ａ）におけるＤ−Ｄ線矢視図である。
【図５】図１のＡ−Ａ線断面図である。
【図６】図１のＢ−Ｂ線断面図である。
【図７】第２の実施形態に係る端子台本体の斜視図である。
【図８】第３の実施形態に係る端子台の断面図である。
【図９】その他の実施形態に係る端子台本体の斜視図である。
【図１０】従来技術を示す断面図である。
【発明を実施するための形態】
【００１６】
（第１の実施形態）
以下、第１の実施形態に係る端子台について図１〜図６に基づいて説明する。本実施形態は、電動モータとしての三相誘導電動機に適用した例である。
図１、図２（ａ）に示すように、電動モータ１０の外郭をなすハウジング１１には、端子台１２が備えられている。本実施形態の電動モータ１０は三相誘導電動機である。
ハウジング１１の上面には、端子台１２を取り付ける平坦な座面１１Ａが形成されている。なお、ハウジング１１の一部が端子台１２の台座として機能する。図２（ｂ）に示すように、座面１１Ａには方形状の台座開口部１１Ｂが形成されている。また、座面１１Ａには端子台１２を締結する複数のねじ孔１１Ｃが形成されている。台座開口部１１Ｂおよびねじ孔１１Ｃを囲むように端子台１２が接合される座面側接合部１１Ｄが形成されている。なお、図１、図２（ａ）及び図２（ｂ）において、台座開口部１１Ｂ側を電動モータ１０の前側、台座開口部１１Ｂの反対側を電動モータ１０の後側とし、前後方向に対して直交する方向を左右方向とする。また、図１、図２（ａ）及び図２（ｂ）における上下方向を電動モータ１０の上下方向とする。
【００１７】
本実施形態では、ハウジング１１の台座開口部１１Ｂから電動モータ１０に付属する複数の配線１３が引き出されている。複数の配線１３は、図２（ａ）に示すように、配線１３Ｕ、配線１３Ｖおよび配線１３Ｗの三相の配線であり、第１配線に相当する。配線１３Ｕ、１３Ｖ、１３Ｗは端子台１２と接続されている。複数の配線１３の端部には丸形の圧着端子１４がそれぞれ備えられている。
一方、端子台１２には、外部機器（例えば、インバータ）と接続された外部接続側の複数の配線１５が接続される。図１にて二点鎖線により示す複数の配線１５は、配線１５Ｕ、配線１５Ｖおよび配線１５Ｗの三相の配線であり、第２配線に相当する。配線１５の数は配線１３の数と同数である。複数の配線１５の端部には丸形の圧着端子１６がそれぞれ備えられている。
【００１８】
次に、複数の配線１３と複数の配線１５とを電気的に接続する端子台１２について説明する。図１に示すように、本実施形態の端子台１２は、電動モータ１０の上部に位置するように、ハウジング１１の座面１１Ａに取り付けられている。図２（ａ）に示すように、端子台１２は、端子台本体１７、カバー体１８、接続用ボルト１９、円筒状の中継端子２０、締結部材としてのナット２１などを備えている。なお、接続部は、例えば接続用ボルト１９、中継端子２０、及びナット２１の構成を含む。接続用ボルト１９、中継端子２０及びナット２１の数は配線１３、１５の数と同数である。
【００１９】
端子台本体１７は、絶縁材料（例えば、ポリアミド樹脂）により平板状に形成されている。端子台本体１７においてカバー体１８と対向する面は表面であり、ハウジング１１と対向する面は裏面である。図３（ａ）に示すように、本実施形態の端子台本体１７には、ハウジング１１に取り付けた状態にて電動モータ１０の前側に位置する前端縁２２が形成されている。また、端子台本体１７には、前端縁２２の両端部から前端縁２２と直交する方向へ向けてそれぞれ延在する一対の側端縁２３、２４が形成されている。一方の側端縁２３は他方の側端縁２４よりも前端縁２２と直交する方向へ長く延在する。側端縁２３と側端縁２４とを結ぶ後端縁２５が形成されており、後端縁２５は前端縁２２に対して４５°傾斜している。
【００２０】
端子台本体１７の前端縁２２と側端縁２３、２４に囲まれた位置であって、前端縁２２寄りの位置には、上下方向に連通する方形状の本体開口部２６が形成されている。本体開口部２６は、三相の配線１３Ｕ、１３Ｖ、１３Ｗを挿通するために形成されており、ハウジング１１の台座開口部１１Ｂと同じ大きさであって、台座開口部１１Ｂに連通するように設けられている。
本体開口部２６における前端縁２２側の縁部を前縁部２６Ａとし、本体開口部２６における前縁部２６Ａに対向する縁部を後縁部２６Ｂとし、本体開口部２６における側端縁２３側の縁部を側縁部２６Ｃとし、本体開口部２６における側端縁２４側の縁部を側縁部２６Ｄとする。本体開口部２６は、前縁部２６Ａ、後縁部２６Ｂ、側縁部２６Ｃ及び側縁部２６Ｄを有している。
【００２１】
後端縁２５の近くであって前端縁２２と離れた位置には、表面から突出する突出部２８が形成されている。突出部２８は後端縁２５に沿って３箇所形成されている。突出部２８には六角形の有底孔２９が形成されており、有底孔２９は接続用ボルト１９の一部を挿入可能である。
【００２２】
端子台本体１７の周縁部には、本体開口部２６及び複数の突出部２８を囲むように、本体側接合部３０が形成されている。本体側接合部３０は、前端縁２２、側端縁２３、２４及び後端縁２５に沿って形成され、周方向に繋がっている。本体側接合部３０は、カバー体１８と接合される部位を表している。本体側接合部３０は、図３（ａ）に破線のハッチングにより示す。本体側接合部３０は、端子台本体１７とカバー体１８が接合される状態では、図５に示すように、液体ガスケットＧが介在される部位である。また、本体側接合部３０が形成されている面と反対側の面（裏面）には、裏面側接合部４４が形成されている。裏面側接合部４４は、図２（ｂ）に示すハウジング１１の座面側接合部１１Ｄと接合する部位である。裏面側接合部４４は、端子台本体１７とハウジング１１が接合される状態では、図５に示すように、液体ガスケットＧが介在される部位である。端子台本体１７は、端子台本体１７をハウジング１１の座面１１Ａに固定するボルト３１を挿通する複数の通孔３２を備える。通孔３２は、本体側接合部３０において側端縁２３、２４に沿うように形成されている。
【００２３】
本体開口部２６における前縁部２６Ａ、側縁部２６Ｃ及び側縁部２６Ｄの３箇所の縁部には、板状部２７が形成されている。板状部２７は、端子台本体１７の板面に対して垂直な面を有する。板状部２７は板状の形状を有し、配線１３の挿通方向（上下方向）に立設されている。板状部２７は端子台本体１７に一体形成されている。板状部２７は端子台本体１７と同一材料で形成されている。図３（ｂ）に示すように、板状部２７は第１壁部２７Ａおよび第２壁部２７Ｂを備えている。図５に示すように、第１壁部２７Ａは、端子台１２がハウジング１１に固定されている状態では、カバー体１８へ向けて延在する。第２壁部２７Ｂは、端子台１２がハウジング１１に固定されている状態では、ハウジング１１の台座開口部１１Ｂ内に延在する。第１壁部２７Ａおよび第２壁部２７Ｂは連設されている。また、図３（ａ）に示すように、第１壁部２７Ａは、平面視でＵ字状の形状を有している。図示はされないが、第２壁部２７Ｂは、第１壁部２７Ａと同様に背面視でＵ字状の形状を有している。
【００２４】
第１壁部２７Ａおよび第２壁部２７Ｂは、それぞれ所定の高さに形成されている。第１壁部２７Ａは、本体側接合部３０とカバー体側接合部３７間に介在される液体ガスケットＧが第１壁部２７Ａを乗り越えて本体開口部２６へはみ出さない程度の高さに設定されている。また、第１壁部２７Ａおよび第２壁部２７Ｂは、他の部品と干渉しない程度の高さに設定されている。
【００２５】
カバー体１８は、端子台本体１７と同じ絶縁材料により形成されている。カバー体１８の外周縁は、端子台本体１７の形状に対応している。具体的には、図４（ａ）に示すように、カバー体１８には、端子台本体１７の前端縁２２に対応する前端縁３３、端子台本体１７の側端縁２３に対応する側端縁３４、端子台本体１７の側端縁２４に対応する側端縁３５および端子台本体１７の後端縁２５に対応する後端縁３６がそれぞれ形成されている。カバー体１８の周縁部には、端子台本体１７の本体側接合部３０と接合されるカバー体側接合部３７が形成されている。カバー体側接合部３７は、図４（ａ）にて破線のハッチングにて示す。カバー体側接合部３７には、ボルト３１を挿通する複数の通孔３８が形成されている。
【００２６】
カバー体１８には、カバー体側接合部３７の内側に空間が形成されるように、カバー体側接合部３７から立ち上がる周壁部３９と周壁部３９の内側にてカバー体側接合部３７より高い位置となる天壁部４０が形成されている。
図４（ｂ）に示すように、カバー体１８のカバー体側接合部３７および端子台本体１７の本体側接合部３０が互いに接合される状態では、端子台本体１７とカバー体１８との間には、配線１３Ｕ、１３Ｖおよび１３Ｗを配置可能とする空間部Ｑが形成される。
【００２７】
カバー体１８の後端縁３６の近くであって前端縁３３と離れた位置には、貫通孔４１が形成されている。貫通孔４１は、後端縁３６に沿って天壁部４０に３箇所形成されている。貫通孔４１は円形孔であり、中継端子２０が挿通される孔である。カバー体１８が端子台本体１７の上側となるように接合される状態では、貫通孔４１の中心は端子台本体１７の有底孔２９の中心と一致する。貫通孔４１の周囲は天壁部４０の外壁面から筒状に突出する突出部４２が形成されている。
【００２８】
カバー体１８の天壁部４０の内壁面には、板状の仕切り部４３が形成されている。仕切り部４３は、空間部Ｑを３分割するように２箇所に形成されている。仕切り部４３の長手方向は前端縁３３と直交する方向である。仕切り部４３の後端縁３６側の端部は、互いに隣り合う貫通孔４１の間に位置するように後端縁３６側の周壁部３９に達している。仕切り部４３の前端縁３３側の端部は、前端縁３３側の周壁部３９に達しておらず、前端縁３３側の周壁部３９との間に隙間を有した状態で形成されている。仕切り部４３により、空間部Ｑにおいて隣り合う配線間（配線１３Ｕと配線１３Ｖとの間、配線１３Ｖと配線１３Ｗとの間）の絶縁が確保される。
【００２９】
次に、端子台１２の組付け手順について説明する。
まず、端子台本体１７は、図５及び図６に示すように、ハウジング１１の座面１１Ａに載置され、端子台本体１７の裏面側接合部４４とハウジング１１の座面側接合部１１Ｄ間にシール部材としての液体ガスケットＧを介在させて接合される。裏面側接合部４４に液体ガスケットＧを塗布したのち、端子台本体１７は、座面１１Ａに載置される。このとき、本体開口部２６の縁部に延設された板状部２７における第２壁部２７Ｂが、座面１１Ａに形成された台座開口部１１Ｂの内壁面に当接する。すなわち、第２壁部２７Ｂの外周面と台座開口部１１Ｂの内壁面とが当接することにより、端子台本体１７の電動モータ１０のハウジング１１に対する位置決めが行われる。
【００３０】
電動モータ１０に付属する配線１３Ｕ、１３Ｖ、１３Ｗは、台座開口部１１Ｂを通って上方に引き出され、端子台本体１７の本体開口部２６に挿通される。図２（ａ）に示すように、配線１３Ｕ、１３Ｖ、１３Ｗは、本体開口部２６を通過したのち、後方に向けて座面１１Ａと平行となるように折り曲げられる。そして、配線１３Ｕ、１３Ｖ、１３Ｗの端部に設けられた圧着端子１４は、端子台本体１７の有底孔２９に挿入された接続用ボルト１９の軸部にそれぞれ係止される。
【００３１】
各接続用ボルト１９の軸部に中継端子２０を螺入して締付けたのち、カバー体１８が上方より端子台本体１７に重ね合わせられる。このとき、端子台本体１７の本体側接合部３０またはカバー体１８のカバー体側接合部３７に液体ガスケットＧを塗布したのち、カバー体１８は端子台本体１７に重ね合わせられる。すなわち、図５及び図６に示すように、端子台本体１７とカバー体１８は、本体側接合部３０とカバー体側接合部３７間にシール部材としての液体ガスケットＧを介在させて接合される。カバー体１８を端子台本体１７に重ね合わせ、本体側接合部３０とカバー体側接合部３７を接合させたとき、板状部２７における上方に向けて延設された第１壁部２７Ａの上端はカバー体１８の周壁部３９の内壁面に当接する。このことにより、端子台本体１７に対するカバー体１８の位置決めが行われる。
【００３２】
カバー体１８を端子台本体１７に重ね合わせるとき、それぞれの中継端子２０は対応する貫通孔４１に挿通させる。そして、ボルト３１を通孔３８、３２に挿通させねじ孔１１Ｃに螺入することにより、カバー体１８及び端子台本体１７は、ハウジング１１の座面１１Ａに固定される。
【００３３】
外部接続側の配線１５Ｕ、１５Ｖ、１５Ｗの端部に設けられた圧着端子１６は、それぞれに対応する中継端子２０から突出している接続用ボルト１９の軸部に係止させ、ナット２１を接続用ボルト１９に螺入して締め付ける。このことにより、電動モータ１０に付属する配線１３Ｕ、１３Ｖ、１３Ｗと外部接続側の配線１５Ｕ、１５Ｖ、１５Ｗは接続部を介して電気的に接続される。
【００３４】
ところで、端子台本体１７とカバー体１８を複数のボルト３１により座面１１Ａに固定したとき、端子台本体１７とカバー体１８との間およびハウジング１１と端子台本体１７との間に介在する液体ガスケットＧの一部は、端子台１２の外方及び内方にはみ出す恐れがある。
【００３５】
しかし、本体開口部２６の縁部には、配線１３の挿通方向に立設され上下方向に延設された板状部２７が形成されていることにより、液体ガスケットＧの本体開口部２６へのはみ出しが防止される。すなわち、上方のカバー体１８に向けて延設された第１壁部２７Ａにより本体側接合部３０とカバー体側接合部３７間に介在される液体ガスケットＧの本体開口部２６へのはみ出しが防止される。より具体的には、液体ガスケットＧの本体開口部２６の前縁部２６Ａ、側縁部２６Ｃ及び側縁部２６Ｄへのはみ出しは第１壁部２７Ａにより防止される。また、ハウジング１１の台座開口部１１Ｂ内に延在する第２壁部２７Ｂにより端子台本体１７の裏面側接合部４４とハウジング１１の座面側接合部１１Ｄ間に介在される液体ガスケットＧの本体開口部２６へのはみ出しが防止される。本体開口部２６には電動モータ１０に付属する配線１３Ｕ、１３Ｖ、１３Ｗが挿通されているが、第１壁部２７Ａ及び第２壁部２７Ｂにより液体ガスケットＧの本体開口部２６へのはみ出しが防止されることにより、液体ガスケットＧと配線１３Ｕ、１３Ｖ、１３Ｗとの接触は確実性をもって防止される。従って、液体ガスケットＧと配線１３Ｕ、１３Ｖ、１３Ｗとの間の電気的な導通が防止され、ハウジング１１と配線１３Ｕ、１３Ｖ、１３Ｗとの間の絶縁が保たれる。
【００３６】
図５及び図６に示すように、第１壁部２７Ａは、本体側接合部３０とカバー体側接合部３７間に介在される液体ガスケットＧが第１壁部２７Ａを乗り越えて本体開口部２６へはみ出さない程度の高さに設定されている。よって、本体側接合部３０よりはみ出した液体ガスケットＧは、第１壁部２７Ａとカバー体１８の周壁部３９間の隙間に滞留し、第１壁部２７Ａを乗り越えて、空間部Ｑに漏れることはない。また、第１壁部２７Ａおよび第２壁部２７Ｂは、他の部品と干渉しない程度の高さに設定されていることにより、第１壁部２７Ａおよび第２壁部２７Ｂと電動モータ１０内の他の電気部品或いは機械部品との干渉が回避され、端子台本体１７及びカバー体１８をハウジング１１に円滑に固定される。
【００３７】
本体側接合部３０とカバー体側接合部３７間及び裏面側接合部４４と座面側接合部１１Ｄ間に液体ガスケットＧをそれぞれ介在させているので、端子台本体１７とカバー体１８間に形成される空間部Ｑの気密性を向上し、空間部Ｑに外部より水などの浸入が防止される。
【００３８】
本実施形態の端子台１２によれば以下の効果を奏する。
（１）端子台本体１７における本体開口部２６の縁部には、配線１３の挿通方向に立設され端子台本体１７の板面に対して垂直な面を有する板状部２７が形成されているので、本体側接合部３０とカバー体側接合部３７間、及び裏面側接合部４４と座面側接合部１１Ｄ間に液体ガスケットＧを介在させて、端子台本体１７とカバー体１８を複数のボルト３１により座面１１Ａに固定したとき、液体ガスケットＧの本体開口部２６へのはみ出しが防止される。すなわち、カバー体１８へ向けて延在する第１壁部２７Ａにより本体側接合部３０とカバー体側接合部３７間に介在される液体ガスケットＧの本体開口部２６へのはみ出しが防止される。また、ハウジング１１の台座開口部１１Ｂ内に延在する第２壁部２７Ｂにより裏面側接合部４４と座面側接合部１１Ｄ間に介在される液体ガスケットＧの本体開口部２６へのはみ出しが防止される。よって、端子台本体１７とカバー体１８、又は端子台本体１７とハウジング１１との間からはみ出す液体ガスケットＧと第１配線（配線１３Ｕ、１３Ｖ、１３Ｗ）との接触を確実性をもって防止することが可能であり、ハウジング１１と第１配線との間の絶縁低下を防止できる。
【００３９】
（２）板状部２７における第２壁部２７Ｂが、座面１１Ａに形成された台座開口部１１Ｂの内壁面に当接することにより、端子台本体１７の電動モータ１０のハウジング１１に対する前後方向及び左右方向の位置決めを行うことが可能である。また、カバー体１８を端子台本体１７に重ね合わせ、本体側接合部３０とカバー体側接合部３７を接合させたとき、板状部２７における上方に向けて延設された第１壁部２７Ａの上端がカバー体１８の周壁部３９の内壁面に当接することにより、端子台本体１７に対するカバー体１８の位置決めを行うことが可能である。従って、端子台１２をハウジング１１に固定する際に、カバー体１８の端子台本体１７に対する位置ずれや端子台本体１７のハウジング１１に対する位置ずれが防止でき、位置ずれに伴う液体ガスケットＧのはみ出しを抑制できる。
【００４０】
（３）本体開口部２６における４箇所の縁部のうち、本体側接合部３０（又は裏面側接合部４４）に直接接触する３箇所の縁部（前縁部２６Ａ、側縁部２６Ｃ及び側縁部２６Ｄ）に板状部２７（第１壁部２７Ａ及び第２壁部２７Ｂ）が設けられているので、本体開口部２６への液体ガスケットＧのはみ出しを確実に防止することが可能である。
【００４１】
（４）配線１３Ｕ、１３Ｖ、１３Ｗには高電圧が印加され、高電流が流れることにより配線１３Ｕ、１３Ｖ、１３Ｗはハウジング１１の壁面に対する放電を起こす恐れがある。しかし、本体開口部２６の縁部に第１壁部２７Ａ及び第２壁部２７Ｂが上下方向に延設されていることにより、配線１３Ｕ、１３Ｖ、１３Ｗとハウジング１１との絶縁が高められ、本体開口部２６内に配置される配線１３Ｕ、１３Ｖ、１３Ｗのハウジング１１の壁面に対する放電を防止することが可能である。
【００４２】
（５）本体側接合部３０とカバー体側接合部３７間及び裏面側接合部４４と座面側接合部１１Ｄ間に液体ガスケットＧを介在させているので、端子台本体１７とカバー体１８間に形成される空間部Ｑの気密性を向上し、空間部Ｑに外部より水などの浸入を防止することが可能である。
【００４３】
（第２の実施形態）
次に、第２の実施形態に係る端子台を図７に基づいて説明する。
この実施形態は、第１の実施形態における板状部２７の形状を変更したものであり、その他の構成は共通である。
従って、ここでは説明の便宜上、先の説明で用いた符号を一部共通して用い、共通する構成についてはその説明を省略し、変更した個所のみ説明を行う。
【００４４】
図７に示すように、第２の実施形態の端子台は端子台本体５０を備えている。端子台本体５０には本体開口部５１が形成されている。本体開口部５１の縁部には板状部５２が設けられ、板状部５２は第１壁部５２Ａおよび第２壁部５２Ｂを備えている。図示しないカバー体１８へ向けて延在する第１壁部５２Ａは、側縁部５１Ｃ及び側縁部５１Ｄのみに延設され、前縁部５１Ａには延設されていない。図示しないハウジング１１の台座開口部１１Ｂ内に延在する第２壁部５２Ｂは、第１の実施形態と同様に、前縁部５１Ａ、側縁部５１Ｃ及び側縁部５１Ｄに延設されている。
【００４５】
第２の実施形態においては、本体側接合部５３のうちカバー体側接合部３７との接合面積は、前縁部５１Ａ側よりも側縁部５１Ｃ側及び側縁部５１Ｄ側のほうが大きい。よって、本体開口部５１への液体ガスケットＧのはみ出しは、前縁部５１Ａ側よりも側縁部５１Ｃ側及び側縁部５１Ｄ側のほうが多い。従って、液体ガスケットＧのはみ出しの多い側縁部５１Ｃ及び側縁部５１Ｄに第１壁部５２Ａが延設され、液体ガスケットＧのはみ出しの少ない前縁部５１Ａには第１壁部５２Ａが延設されていないので、必要性の高い部位に板状部を設けることが可能である。
【００４６】
（第３の実施形態）
次に、第３の実施形態に係る端子台６０を図８に基づいて説明する。
この実施形態は、板状部が端子台本体に代えてカバー体に設けられたものであり、その他の構成は共通である。
従って、ここでは説明の便宜上、先の説明で用いた符号を一部共通して用い、共通する構成についてはその説明を省略し、変更した個所のみ説明を行う。
【００４７】
図８に示すように、第３の実施形態の端子台６０は、端子台本体６４とカバー体６１を備えている。端子台本体６４には、配線１３Ｕ、１３Ｖ、１３Ｗを挿通する本体開口部６５が形成されている。カバー体６１は、周壁部６２と天壁部６６を備えている。カバー体６１の周壁部６２には、天壁部６６と反対方向に延設された板状部６３が設けられている。端子台本体６４にカバー体６１を重ね合わせハウジング１１の座面１１Ａに固定したとき、板状部６３が端子台本体６４の本体開口部６５の縁部に嵌め込まれると共に、座面１１Ａに形成された台座開口部１１Ｂの内壁面に当接する。
【００４８】
第３の実施形態においては、板状部６３により液体ガスケットＧの本体開口部６５へのはみ出しを防止できると共に、ハウジング１１に対する端子台本体６４及びカバー体６１の位置決めを行うことが可能である。
【００４９】
本発明は、上記の実施形態に限定されるものではなく発明の趣旨の範囲内で種々の変更が可能であり、例えば、次のように変更してもよい。
○  第１の実施形態では、板状部２７は上下方向に延設された第１壁部２７Ａ及び第２壁部２７Ｂを備えているとして説明したが、第２壁部２７Ｂは形成されておらず第１壁部２７Ａのみ形成されていてもよい。
○  第１〜第３の実施形態では、電動モータ１０に付属する三相の配線１３Ｕ、１３Ｖ、１３Ｗは本体開口部２６、５１、６５を通過したのち接続部のほうへ向けて座面１１Ａと平行となるように折り曲げられるとして説明したが、配線１３Ｕ、１３Ｖ、１３Ｗは本体開口部２６、５１、６５を通過したのちそのまま垂直方向に延びていてもよい。この場合、外部接続側の配線１５Ｕ、１５Ｖ、１５Ｗとの接続部は垂直方向の上方に位置し、本体開口部の縁部のすべてに板状部を設けることが可能である。
○  第１の実施形態では、端子台本体１７及びカバー体１８は平面視で台形形状として説明したが、矩形形状であってもよい。すなわち、図９に示すように、端子台本体７０は、前端縁７１、側端縁７２、側端縁７３及び後端縁７４を備え、前端縁７１と後端縁７４とが平行となるように形成されている。後端縁７４に沿って形成される３箇所の突出部７５は、本体開口部７６から等距離離れた位置に形成される。なお、図示しないが、カバー体は、端子台本体７０と同等の外形形状を有している。
○  第１〜第３の実施形態では、第１配線および第２配線を３相に対応させて各３本としたが、端子台に適用される第１配線および第２配線は３本に制限されず、複数であればよく、例えば、２本や４本であってもよい。
○  第１〜第３の実施形態では、本体開口部は方形状に形成されているとして説明したが、方形状に限定されずどのような形状でもよい。
○  第１〜第３の実施形態では、第１配線と第２配線は中継端子を使用して間接的に接続されるとして説明したが、中継端子を使用せずに第１配線と第２配線を直接的に接続してもよい。
○  第１〜第３の実施形態では、電動モータとして三相誘導電動機を例示したが、電動モータの種類を制限する趣旨ではない。電動モータとしては、例えば、同期電動（発電）機であってもよい。また、端子台は電動モータ以外の電力機器に適用してもよい。
【符号の説明】
【００５０】
１０  電動モータ
１１  ハウジング（台座）
１１Ａ  座面
１１Ｂ  台座開口部
１１Ｄ  座面側接合部
１２、６０  端子台
１３（１３Ｕ、１３Ｖ、１３Ｗ）  配線（第１配線）
１５（１５Ｕ、１５Ｖ、１５Ｗ）  配線（第２配線）
１７、５０、６４  端子台本体
１８、６１  カバー体
２６、５１、６５  本体開口部
２７、５２、６３  板状部
２７Ａ、５２Ａ  第１壁部
２７Ｂ、５２Ｂ  第２壁部
３０、５３  本体側接合部
３７  カバー体側接合部
４４  裏面側接合部
Ｇ  液体ガスケット
Ｑ  空間部
【図１】
2017021914.tif 000003
【図２】
2017021914.tif 000004
【図３】
2017021914.tif 000005
【図４】
2017021914.tif 000006
【図５】
2017021914.tif 000007
【図６】
2017021914.tif 000008
【図７】
2017021914.tif 000009
【図８】
2017021914.tif 000010
【図９】
2017021914.tif 000011
【図１０】
2017021914.tif 000012